(57)【要約】【課題】例えば道路地図帖などのようにこれから行く予定の複数ページに同時に印しを付けることができるようにしたしおりプレート付き書籍カバーを提供する。【解決手段】合成樹脂シートを材料として作られた書籍カバー本体１と、この書籍カバー本体１の背表紙覆い部８の長さ方向両端内面側には道路地図帖２の背表紙に近い基部の外端部に当接するように紐掛け部材１２を配設し、背表紙覆い部８の長さ方向一端側の紐掛け部材１２には複数本の紐状体１３の一端が取り付けられ、複数本の紐状体１３の他端は背表紙覆い部８の長さ方向他端側の紐掛け部材１２の係合部に脱着自在に支持されるように構成され、複数本の各紐状体１３の途中部にしおりプレート１６の一端が取り付けられ、しおりプレート１６の他端は道路地図帖２の側部から突出するように構成され、複数枚のしおりプレート１６の他端には数字１７が順番に１つづつ印されている。【選択図】        図６
2004322484.tif 000002
【特許請求の範囲】
【請求項１】
書籍の表側表紙、裏側表紙および背表紙の外側から覆う表側表紙覆い部と、裏側表紙覆い部と、これら表側表紙覆い部と裏側表紙覆い部を繋ぐ背表紙覆い部とからなり、合成樹脂シートを材料として作られた書籍カバー本体と、この書籍カバー本体の背表紙覆い部の長さ方向両端内面側には書籍の背表紙に近い基部の外端部に当接するように紐掛け部材を配設し、背表紙覆い部の長さ方向一端側の紐掛け部材には複数本の紐状体の一端が取り付けられ、複数本の紐状体の他端は背表紙覆い部の長さ方向他端側の紐掛け部材の係合部に脱着自在に支持されるように構成され、前記複数本の各紐状体の途中部にしおりプレートの一端が取り付けられ、しおりプレートの他端は書籍の側部から突出するように構成され、書籍の側部から突出する複数枚のしおりプレートの他端には数字が順番に１つづつ印されていることを特徴とするしおりプレート付き書籍カバー。
【発明の詳細な説明】
【０００１】
【発明の属する技術分野】
本発明はしおりプレート付き書籍カバーに関するものである。
【０００２】
【従来の技術】
従来から特許文献１に開示されているようなしおり紐付きの書籍カバーが知られている。この特許文献１に開示されているしおり紐付きの書籍カバーは１本のしおり紐が書籍カバーの上部に取り付けられており、書籍カバーを書籍にセットした状態でしおり紐を途中の読み終えたページ間で挟むようにすることによりしおりとしての機能を果たすように構成されている。
【０００３】
しかしながら、この特許文献１に開示されている書籍カバーに設けられているしおり紐は１本であり、文庫本などの小説に対してしおり紐を途中の読み終えたページ間で挟み印しを付けるようにするのが一般的な使い方であるが、例えば道路地図帖や旅行ガイドブックなどのようにこれから行く予定の複数ページに同時に印しを付けることができないという問題があった。そこで、これから行く予定の複数ページに付箋を貼り付けることも行なわれているが、貼り付けてあった付箋が剥がれて紛失したりするという問題があった。
【０００４】
【特許文献１】
特開平８−２１６５５６号公報
【０００５】
【発明が解決しようとする課題】
本発明はこのような課題を解決するもので、例えば道路地図帖や旅行ガイドブックなどのようにこれから行く予定の複数ページに同時に印しを付けることができるようにしたしおりプレート付き書籍カバーを提供することを目的とするものである。
【０００６】
【課題を解決するための手段】
この課題を解決するために本発明は、書籍の表側表紙、裏側表紙および背表紙の外側から覆う表側表紙覆い部と、裏側表紙覆い部と、これら表側表紙覆い部と裏側表紙覆い部を繋ぐ背表紙覆い部とからなり、合成樹脂シートを材料として作られた書籍カバー本体と、この書籍カバー本体の背表紙覆い部の長さ方向両端内面側には書籍の背表紙に近い基部の外端部に当接するように紐掛け部材を配設し、背表紙覆い部の長さ方向一端側の紐掛け部材には複数本の紐状体の一端が取り付けられ、複数本の紐状体の他端は背表紙覆い部の長さ方向他端側の紐掛け部材の係合部に脱着自在に支持されるように構成され、前記複数本の各紐状体の途中部にしおりプレートの一端が取り付けられ、しおりプレートの他端は書籍の側部から突出するように構成され、書籍の側部から突出する複数枚のしおりプレートの他端には数字が順番に１つづつ印されていることを要旨とするものである。
【０００７】
この構成により、例えば道路地図帖や旅行ガイドブックなどの書籍にセットすることにより、これから行く予定の複数ページに同時に印しを付けることができ、必要なページを簡単に開くことができる。
【０００８】
この構成により、書籍カバー本体により書籍を覆い、書籍の上端に位置する紐掛け部材に結び付けた複数本の紐状体に取り付けたしおりプレートを前記数字の順番でこれから行く予定のページ間に位置させ、各しおりプレートを取り付けている紐状体の他端を書籍の下端に位置する紐糸掛け部材の係合部に支持させることによりしおりプレートの安定性を保持させることができる。このようにしてこれから行く予定のページ間に位置させてあるしおりプレートを前記数字の順番で摘むことにより、必要なページを簡単に開くことができる。
【０００９】
【発明の実施の形態】
以下、本発明の実施の形態について、図面に基づいて説明する。
先ず、図１〜図６に示す第１の実施の形態について説明すると、１は道路地図帖２の表側表紙３、裏側表紙４および背表紙５の外側から覆う透明な合成樹脂シートからなる書籍カバー本体で、この書籍カバー本体１は表側表紙覆い部６と、裏側表紙覆い部７と、これら表側表紙覆い部６と裏側表紙覆い部７を繋ぐ背表紙覆い部８とからなり、前記表側表紙覆い部６の先端部および裏側表紙覆い部７の先端部には表側表紙３の先端部および裏側表紙４の先端部を差し込むことができる袋部９および袋部１０が形成されている。この書籍カバー本体１は袋部９および袋部１０に表側表紙３の先端部および裏側表紙４の先端部を差し込むために余裕を持たせて道路地図帖２の縦長さ、横長さよりも若干大き目に作られている。
【００１０】
前記背表紙覆い部８の長さ方向両端内面側には道路地図帖２の背表紙５に近い基部１１の外端部に近接するようにコイル状の紐掛け部材１２、１２が設けられている。この紐掛け部材１２、１２は金属線をコイル状に曲げて作られており、隣り合う円弧状曲げ線部間でたこ紐のような紐状体１３を挟むように構成されている。道路地図帖２の上端に位置する紐掛け部材１２には複数本、例えば５本の紐状体１３の一端が１箇所の隣り合う円弧状曲げ線部間で結合され、５本の紐状体１３の他端は道路地図帖２の下端に位置する紐掛け部材１２の複数箇所の隣り合う円弧状曲げ線部間の係合部に脱着自在に挟まれるようになっている。前記紐掛け部材１２、１２は紐掛け部材１２、１２と一体の金属線からなる繋がり部１４により繋がっており、この繋がり部１４は前記背表紙覆い部８と背表紙５との間に位置するようになる。
【００１１】
１５は前記背表紙覆い部８を道路地図帖２の背表紙５側に引き寄せるべく道路地図帖２のほぼ真中のページ間において背表紙５に近い基部１１に食い込ませるとともに前記背表紙覆い部８の長さ方向両端近傍部に形成された孔部より背表紙覆い部８の外面に導かれ両端部が背表紙覆い部８の外面で互いに結ばれる紐状体である。
【００１２】
１６は前記５本の各紐状体１３の途中部に一端が取り付けられた合成樹脂製のしおりプレートで、５本の各紐状体１３においてしおりプレート１６の取り付け位置はずらしており、５本の各紐状体１３の途中部に一端が取り付けられたしおりプレート１６の他端は道路地図帖２の側部から突出するように構成されている。道路地図帖２の側部から突出する５枚のしおりプレート１６の他端の両面には１〜５までの数字１７が１つづつ印されている。
【００１３】
なお、前記表側表紙覆い部６と背表紙覆い部８との繋がり部近傍において、表側表紙覆い部６には折り目６ａが形成されている。
上記構成の書籍カバー本体１により道路地図帖２を覆い、紐掛け部材１２、１２を背表紙覆い部８の長さ方向両端内面側に取り付けた状態において、道路地図帖２の上端に位置する紐掛け部材１２に結び付けた５本の紐状体１３に取り付けたしおりプレート１６を前記数字１７の順番でこれから行く予定のページ間に位置させ、各しおりプレート１６を取り付けている紐状体１３の他端を道路地図帖２の下端に位置する紐糸掛け部材１２の複数箇所の隣り合う円弧状曲げ線部間に挟むことによりしおりプレート１６の安定性を保持させることができる。このようにしてこれから行く予定のページ間に位置させてあるしおりプレート１６を前記数字１７の順番で摘むことにより、必要なページを簡単に開くことができる。
【００１４】
次に、図７〜図８に示す第２の実施の形態について説明すると、前記第１の実施の形態では金属線をコイル状に曲げて作られた紐掛け部材１２、１２に紐状体１３を止めるように構成されているが、第２の実施の形態においては合成樹脂製のブロック状の２つの紐掛け部材１８，１９を用意し、一方の紐掛け部材１８は背表紙覆い部８の長さ方向一端（上端）内面にカシメにより取り付けられ、他方の紐掛け部材１９は背表紙覆い部８の長さ方向他端（下端）内面にカシメにより取り付けられている。そして、一方の紐掛け部材１８の中央部には前記５本の紐状体１３をまとめて巻き付けるための太目の溝１８ａが形成されており、他方の紐掛け部材１９には５本の各紐状体１３を引っ掛けるための係合部として細目の溝１９ａが５箇所に形成されている。また、前記第１の実施の形態では紐掛け部材１２、１２は紐掛け部材１２、１２と一体の金属線からなる繋がり部１４により繋がっているが、第２の実施の形態では２つの紐掛け部材１８，１９を繋ぐ繋がり部は存在しない。他の構成は第１の実施の形態と同じである。
【００１５】
ところで、上記した実施の形態では書籍として道路地図帖２を例に挙げたが、旅行のガイドブックのようなものに対しても好適に使用される。
【００１６】
【発明の効果】
以上のように本発明によれば、例えば道路地図帖や旅行ガイドブックなどの書籍にセットすることにより、これから行く予定の複数ページに同時に印しを付けることができ、必要なページを簡単に開くことができる。
【図面の簡単な説明】
【図１】本発明の第１の実施の形態におけるしおりプレート付き書籍カバーの斜視図である。
【図２】同しおりプレート付き書籍カバーを書籍にセットした状態を書籍の上端側から見た斜視図である。
【図３】同しおりプレート付き書籍カバーを書籍にセットした状態を書籍の下端側から見た斜視図である。
【図４】同しおりプレート付き書籍カバーを書籍にセットした状態を背表紙覆い部から見た斜視図である。
【図５】書籍のほぼ真中のページ間に紐を食い込ませた状態を示す斜視図である。
【図６】同しおりプレート付き書籍カバーがセットされた書籍をしおりプレートにより開いた状態を示す斜視図である。
【図７】本発明の第２の実施の形態におけるしおりプレート付き書籍カバーの斜視図である。
【図８】同しおりプレート付き書籍カバーを書籍にセットした状態の要部拡大斜視図である。
【符号の説明】
１              書籍カバー本体
２              道路地図帖
３              表側表紙
４              裏側表紙
５              背表紙
６              表側表紙覆い部
７              裏側表紙覆い部
８              背表紙覆い部
９              袋部
１０              袋部
１１              基部
１２              紐掛け部材
１３              紐状体
１４              繋がり部
１５              紐状体
１６              しおりプレート
１７              数字
１８，１９        紐掛け部材
１８ａ，１９ａ    溝
【図１】
2004322484.tif 000003
【図２】
2004322484.tif 000004
【図３】
2004322484.tif 000005
【図４】
2004322484.tif 000006
【図５】
2004322484.tif 000007
【図６】
2004322484.tif 000008
【図７】
2004322484.tif 000009
【図８】
2004322484.tif 000010